(57)【要約】 【課題】特定地点に関する情報を良好に報知できるナビゲーション装置を提供する。【解決手段】ナビゲーションシステム１００のナビゲーション装置２００は、処理部２８０にて、車両の現在位置近傍を示す現在位置地図の一般地図情報と、特定のエリアを示すエリア地図のエリア別情報と、を取得する。処理部２８０は、特定エリア地図情報に基づいてエリア地図上のエリアポイントの位置を認識する。処理部２８０は、現在位置地図にエリア地図の選択エリア道路と略同一形状を有する選択相似道路が存在することを認識すると、選択相似道路と選択エリア道路とを対応させた状態における現在位置地図上のエリアポイントに対応するポイント対応地点を認識する。処理部２８０は、現在位置地図上のポイント対応地点に対応するエリアポイントのランドスケープを表示部２４０に表示させる。【選択図】  図１
2006010531.tif 000002
【特許請求の範囲】
【請求項１】
移動体の現在位置に関する現在位置情報を取得する現在位置情報取得手段と、
前記現在位置を含む領域を示す第１の地図に関する第１の地図情報を取得する第１の地図情報取得手段と、
前記第１の地図とは異なる第２の地図に関する第２の地図情報を取得する第２の地図情報取得手段と、
前記第１の地図情報を構成する情報の少なくとも一部および前記第２の地図情報を構成する情報の少なくとも一部が略相似か否かを比較する比較手段と、
前記現在位置から所定範囲内の領域の位置に対応する前記第１の地図情報を構成する情報に前記比較手段にて略相似であると認識する前記第２の地図情報を構成する情報が存在することを認識すると、この第２の地図情報を構成する情報を報知手段に報知させる制御をする報知制御手段と、
を具備したことを特徴とした報知制御装置。
【請求項２】
請求項１に記載の報知制御装置であって、
前記比較手段は、前記第１の地図情報を構成する前記第１の地図上の経路に関する第１の経路情報の少なくとも一部および前記第２の地図情報を構成する前記第２の地図上の経路に関する第２の経路情報の少なくとも一部が略相似か否かを比較し、
前記報知制御手段は、前記領域の位置に対応する前記第１の経路情報に前記比較手段にて略相似であると認識する前記第２の経路情報が存在することを認識すると、前記第２の地図情報を構成する情報を前記報知手段に報知させる制御をする
ことを特徴とした報知制御装置。
【請求項３】
請求項２に記載の報知制御装置であって、
前記移動体が移動する目的地の位置に関する目的地情報を取得する目的地情報取得手段と、
前記現在位置情報、前記目的地情報および前記第１の地図情報に基づいて前記第１の地図上における前記移動体の前記現在位置から前記目的地までの移動経路を設定する経路設定手段と、
を具備し、
前記比較手段は、前記第１の地図上の前記移動経路に関する前記第１の経路情報の少なくとも一部および前記第２の経路情報の少なくとも一部が略相似か否かを比較する
ことを特徴とした報知制御装置。
【請求項４】
請求項１ないし請求項３のいずれかに記載の報知制御装置であって、
前記比較手段は、前記第１の地図情報を構成する前記第１の地図上の複数の地点の位置関係に関する第１の地点位置情報の少なくとも一部および前記第２の地図情報を構成する前記第２の地図上の複数の地点の位置関係に関する第２の地点位置情報の少なくとも一部が略相似か否かを比較し、
前記報知制御手段は、前記領域の位置に対応する前記第１の地点位置情報に前記比較手段にて略相似であると認識する前記第２の地点位置情報が存在することを認識すると、前記第２の地図情報を構成する情報を前記報知手段に報知させる制御をする
ことを特徴とした報知制御装置。
【請求項５】
請求項１ないし請求項４のいずれかに記載の報知制御装置であって、
前記第２の地図情報を構成する特定地点情報に基づいて前記第２の地図上の特定地点の所在位置を認識する特定地点位置認識手段を具備し、
前記報知制御手段は、前記第１の地図情報および前記第２の地図情報の前記略相似な情報同士を対応させた状態における前記第１の地図上の前記特定地点に対応する対応地点の所在位置を認識し、この対応地点に対応させて前記特定地点に関する特定地点関連情報を前記報知手段に報知させる制御をする
ことを特徴とした報知制御装置。
【請求項６】
請求項５に記載の報知制御装置であって、
前記報知制御手段は、前記移動体の現在位置が前記対応地点近傍であることを認識すると、前記特定地点関連情報を報知させる制御をする
ことを特徴とした報知制御装置。
【請求項７】
請求項５または請求項６に記載の報知制御装置であって、
前記報知手段は、各種情報を発音する発音手段であり、
前記報知制御手段は、前記特定地点関連情報を前記発音手段に発音させる制御をする
ことを特徴とした報知制御装置。
【請求項８】
請求項７に記載の報知制御装置であって、
前記報知制御手段は、前記移動体の現在位置から前記対応地点の所在位置までの距離を認識し、この認識した距離に対応する発音形態で前記特定地点関連情報を発音させる制御をする
ことを特徴とした報知制御装置。
【請求項９】
請求項８に記載の報知制御装置であって、
前記報知制御手段は、前記認識した距離に対応する音量で前記特定地点関連情報を発音させる制御をする
ことを特徴とした報知制御装置。
【請求項１０】
請求項８に記載の報知制御装置であって、
前記報知制御手段は、前記特定地点関連情報を音像定位が前記認識した距離に対応する状態で発音させる制御をする
ことを特徴とした報知制御装置。
【請求項１１】
請求項７ないし請求項１０のいずれかに記載の報知制御装置であって、
前記移動体が前記対応地点近傍に到達した時点における前記移動体の移動方向を認識する移動方向認識手段を具備し、
前記報知制御手段は、前記移動方向に対する前記対応地点の位置関係を認識し、前記特定地点関連情報を音像定位が前記位置関係に対応する状態で発音させる制御をする
ことを特徴とした報知制御装置。
【請求項１２】
請求項７ないし請求項１１のいずれかに記載の報知制御装置であって、
前記特定地点関連情報は、ＭＩＤＩ（Musical Instrument Digital Interface）の規格に準拠した音情報である
ことを特徴とした報知制御装置。
【請求項１３】
請求項５ないし請求項１２のいずれかに記載の報知制御装置であって、
前記報知手段は、各種情報を表示する表示手段であり、
前記報知制御手段は、前記特定地点関連情報を前記表示手段に表示させる制御をする
ことを特徴とした報知制御装置。
【請求項１４】
請求項１３に記載の報知制御装置であって、
前記報知制御手段は、前記移動体の現在位置から前記対応地点の所在位置までの距離を認識し、前記移動体が前記対応地点に近づくにしたがって前記特定地点関連情報を大きく表示させる制御をする
ことを特徴とした報知制御装置。
【請求項１５】
請求項１３または請求項１４に記載の報知制御装置であって、
前記報知制御手段は、前記移動体の現在位置から前記対応地点の所在位置までの距離を認識し、前記移動体が前記対応地点に近づくにしたがって前記特定地点の景観が大きく表示される前記特定地点関連情報を表示させる制御をする
ことを特徴とした報知制御装置。
【請求項１６】
請求項５ないし請求項１５のいずれかに記載の報知制御装置であって、
地図を表示する地図表示手段に前記第１の地図を表示させるとともに、前記対応地点に対応する位置に前記特定地点を表示させる地図表示制御手段を具備した
ことを特徴とした報知制御装置。
【請求項１７】
請求項１ないし請求項１６のいずれかに記載の報知制御装置であって、
前記第２の地図情報取得手段は、特定の前記第２の地図情報を取得する旨を要求する地図取得要求情報を取得すると、この地図取得要求情報に基づいて前記第２の地図情報を取得する
ことを特徴とした報知制御装置。
【請求項１８】
請求項１ないし請求項１７のいずれかに記載の報知制御装置であって、
前記第２の地図は、前記第１の地図とは異なる時代または地域である
ことを特徴とした報知制御装置。
【請求項１９】
演算手段により、任意の情報を報知手段に報知させる報知制御方法であって、
前記演算手段は、
移動体の現在位置に関する現在位置情報を取得し、
前記現在位置を含む領域を示す第１の地図に関する第１の地図情報を取得し、
前記第１の地図とは異なる第２の地図に関する第２の地図情報を取得し、
前記第１の地図情報を構成する情報の少なくとも一部および前記第２の地図情報を構成する情報の少なくとも一部が略相似か否かを比較し、
前記現在位置から所定範囲内の領域の位置に対応する前記第１の地図情報を構成する情報に前記比較手段にて略相似であると認識する前記第２の地図情報を構成する情報が存在することを認識すると、この第２の地図情報を構成する情報を報知手段に報知させる制御をする
ことを特徴とする報知制御方法。
【請求項２０】
演算手段を、請求項１ないし請求項１８いずれかに記載の報知制御装置として機能させる
ことを特徴とした報知制御プログラム。
【請求項２１】
請求項１９に記載の報知制御方法を演算手段に実行させる
ことを特徴とした報知制御プログラム。
【請求項２２】
請求項２０または請求項２１に記載の報知制御プログラムが演算手段にて読取可能に記録された
ことを特徴とした報知制御プログラムを記録した記録媒体。
【発明の詳細な説明】
【技術分野】
【０００１】
本発明は、特定の領域に関する情報を報知させる制御をする報知制御装置、その方法、そのプログラム、および、そのプログラムを記録した記録媒体に関する。
【背景技術】
【０００２】
従来、車載用のナビゲーション装置において、古い年代の地図を表示して、その年代における運転を疑似体験できる構成が知られている（例えば、特許文献１参照）。
【０００３】
この特許文献１のものは、利用者の設定入力により現在位置に該当する例えば江戸時代など古い年代の古地図データを表示させる。そして、利用者により古地図上で指定された位置の座標値を計算し、目的地座標を取得する。この後、現在地図上における経路探索を行い、この探索した推奨経路あるいは誘導経路に基づいて、古地図用データベースからデータを読み出して古地図を表示させるとともに、古代音声案内用データベースから音声データを読み出して音声案内を行う。
【０００４】
【特許文献１】特開２００２−１５６８９９号公報（第２頁右欄−第５頁右欄）
【発明の開示】
【発明が解決しようとする課題】
【０００５】
しかしながら、上述した特許文献１に記載のようなナビゲーション装置では、現在位置における現在と古い年代との相違しか理解できないという問題が一例として挙げられる。
【０００６】
本発明は、このような点に鑑みて、特定の領域に関する情報を良好に報知可能な報知制御装置、その方法、そのプログラム、および、そのプログラムを記録した記録媒体を提供することを１つの目的とする。
【課題を解決するための手段】
【０００７】
請求項１に記載の発明は、移動体の現在位置に関する現在位置情報を取得する現在位置情報取得手段と、前記現在位置を含む領域を示す第１の地図に関する第１の地図情報を取得する第１の地図情報取得手段と、前記第１の地図とは異なる第２の地図に関する第２の地図情報を取得する第２の地図情報取得手段と、前記第１の地図情報を構成する情報の少なくとも一部および前記第２の地図情報を構成する情報の少なくとも一部が略相似か否かを比較する比較手段と、前記現在位置から所定範囲内の領域の位置に対応する前記第１の地図情報を構成する情報に前記比較手段にて略相似であると認識する前記第２の地図情報を構成する情報が存在することを認識すると、この第２の地図情報を構成する情報を報知手段に報知させる制御をする報知制御手段と、を具備したことを特徴とした報知制御装置である。
【０００８】
請求項１９に記載の発明は、演算手段により、任意の情報を報知手段に報知させる報知制御方法であって、前記演算手段は、移動体の現在位置に関する現在位置情報を取得し、前記現在位置を含む領域を示す第１の地図に関する第１の地図情報を取得し、前記第１の地図とは異なる第２の地図に関する第２の地図情報を取得し、前記第１の地図情報を構成する情報の少なくとも一部および前記第２の地図情報を構成する情報の少なくとも一部が略相似か否かを比較し、前記現在位置から所定範囲内の領域の位置に対応する前記第１の地図情報を構成する情報に前記比較手段にて略相似であると認識する前記第２の地図情報を構成する情報が存在することを認識すると、この第２の地図情報を構成する情報を報知手段に報知させる制御をすることを特徴とする報知制御方法である。
【０００９】
請求項２０に記載の発明は、演算手段を、請求項１ないし請求項１８いずれかに記載の報知制御装置として機能させることを特徴とした報知制御プログラムである。
【００１０】
請求項２１に記載の発明は、請求項１９に記載の報知制御方法を演算手段に実行させることを特徴とした報知制御プログラムである。
【００１１】
請求項２２に記載の発明は、請求項２０または請求項２１に記載の報知制御プログラムが演算手段にて読取可能に記録されたことを特徴とした報知制御プログラムを記録した記録媒体である。
【発明を実施するための最良の形態】
【００１２】
以下に、本発明に係る一実施の形態を図面に基づいて説明する。本実施の形態では、本発明の報知制御装置であるナビゲーション装置を備えたナビゲーションシステムであって、移動体である例えば車両の移動に関する情報を報知して、走行を案内誘導する構成を例示して説明する。なお、本発明におけるナビゲーションシステムとしては、車両の走行を案内誘導する構成に限らず、いずれの移動体の移動を案内誘導する構成が対象となる。図１は、本実施の形態に係るナビゲーションシステムの概略構成を示すブロック図である。図２は、スピーカが配設された車両の平面図である。図３は、一般地図情報を構成する表示用データのテーブル構造を模式的に示す概念図である。図４は、一般地図情報を構成するマッチングデータのテーブル構造を模式的に示す概念図である。図５は、ナビゲーション装置を構成する処理部の概略構成を示すブロック図である。なお、以下において、観光地や有名な建造物などをエリアポイントと、少なくとも１つのエリアポイントが存在する所定の領域をエリアと、それぞれ適宜称して説明する。また、移動体の現在位置近傍など任意の場所を示す地図を一般地図と、特定のエリアを示す地図をエリア地図と、それぞれ適宜称して説明する。
【００１３】
〔ナビゲーションシステムの構成〕
図１において、１００はナビゲーションシステムである。このナビゲーションシステム１００は、移動体である例えば図２に示すような車両１の移動状況に対応して移動に関する案内を報知するシステムである。なお、移動体としては、車両１に限らず、飛行機、船舶などいずれの移動体が対象となる。そして、このナビゲーションシステム１００は、ナビゲーション装置２００と、右フロントスピーカ３００（以下、右ＦＳ３００と称す）と、左フロントスピーカ４００（以下、左ＦＳ４００と称す）と、右リアスピーカ５００（以下、右ＲＳ５００と称す）と、左リアスピーカ６００（以下、左ＲＳ６００と称す）と、などを備えている。なお、右ＦＳ３００、左ＦＳ４００、右ＲＳ５００、左ＲＳ６００は、本発明の報知手段である発音手段として機能する。また、右ＦＳ３００、左ＦＳ４００、右ＲＳ５００、左ＲＳ６００をまとめて表現する際には、スピーカ３００，４００，５００，６００と適宜称して説明する。
【００１４】
右ＦＳ３００は、図２に示すように、例えば車両１の右側のドアを構成する右ドア部１１など車両１の室内空間における前方右側（以下、右前部と称す）に配設されている。また、左ＦＳ４００は、例えば車両１の左側のドアを構成する左ドア部１２など前方左側（以下、左前部と称す）に配設されている。さらに、右ＲＳ５００は、例えばリアダッシュボード１３の右側部分など後方右側（以下、右後部と称す）に配設されている。また、左ＲＳ６００は、例えばリアダッシュボード１３の左側部分など後方左側（以下、左後部と称す）に配設されている。スピーカ３００，４００，５００，６００は、ナビゲーション装置２００により制御され、ナビゲーション装置２００からスピーカ信号Ｓspを適宜取得する。そして、このスピーカ信号Ｓspの後述するサウンドスケープデータを音により出力する。なお、スピーカ３００，４００，５００，６００は、図示しない楽曲再生装置により再生される音声データなども適宜出力可能である。
【００１５】
ナビゲーション装置２００は、例えば移動体としての車両１に搭載される車載型、携帯型、ＰＤＡ（Personal Digital Assistant）、携帯電話、ＰＨＳ(Personal Handyphone System)、携帯型パーソナルコンピュータなどである。ナビゲーション装置２００は、このナビゲーション装置２００が有する後述する一般地図情報に基づいて、現在位置や目的地に関する情報、目的地までのルート探索や表示、最寄りの所定の施設の検索やその表示あるいは施設のサービス内容に関する情報の表示、エリアに存在する特定地点としてのエリアポイントの景観に対応する画像あるいは音の出力などを実施する。なお、以下において、エリアポイントの景観に対応する画像をランドスケープと、エリアポイントの景観に対応する音をサウンドスケープと、それぞれ適宜称して説明する。そして、このナビゲーション装置２００は、センサ部２１０と、ＶＩＣＳ（Vehicle Information Communication System：道路交通情報通信システム）受信部２２０と、入力部２３０と、報知手段である表示手段および地図表示手段としての表示部２４０と、音声出力部２５０と、記憶手段２６０と、メモリ２７０と、演算手段としての処理部２８０と、などを備えている。
【００１６】
センサ部２１０は、移動体である例えば車両１の移動の状態、すなわち現在位置や走行状況などを検出して処理部２８０にセンサ信号Ｓscとして出力する。このセンサ部２１０は、例えば図示しないＧＰＳ（Global Positioning System）受信部と、図示しない速度センサ、方位角センサおよび加速度センサなどの各種センサなどにて構成されている。
【００１７】
ＧＰＳ受信部は、図示しない人工衛星であるＧＰＳ衛星から出力される航法電波を図示しないＧＰＳアンテナにて受信する。そして、ＧＰＳ受信部は、受信した航法電波に対応した信号に基づいて現在位置の擬似座標値を演算し、ＧＰＳデータとして処理部２８０に出力する。
【００１８】
また、センサ部２１０のセンサである速度センサは、移動体である例えば車両１に配設され、車両１の走行速度に対応して変動する信号に基づいて、車両１の走行速度や実際の加速度を検出する。この速度センサは、例えば車軸や車輪の回転により出力されるパルス信号や電圧値などを読み取る。そして、速度センサは、読み取ったパルス信号や電圧値などの速度検出情報を処理部２８０へ出力する。センサである方位角センサは、車両１に配設され、図示しないいわゆるジャイロセンサを有し、車両１の方位角すなわち車両１が前進する走行方向を検出する。この方位角センサは、検出した走行方向に関する移動方向情報である走行方向情報を処理部２８０へ出力する。センサである加速度センサは、車両１に配設され、車両１の走行方向における加速度を検出する。この加速度センサは、検出した加速度を、例えばパルスや電圧などによる検出情報であるセンサ出力値に変換し、処理部２８０へ出力する。
【００１９】
ＶＩＣＳ受信部２２０は、図示しないＶＩＣＳアンテナを有し、このＶＩＣＳアンテナにより交通に関する情報を取得する。具体的には、図示しないＶＩＣＳから、例えばビーコンやＦＭ多重放送などにより、渋滞、交通事故、工事、交通規制などの交通情報（以下、ＶＩＣＳデータと称す）を取得する。そして、取得した交通に関する情報を処理部２８０にＶＩＣＳ信号Ｓviとして出力する。
【００２０】
入力部２３０は、例えばキーボードやマウスなどで、入力操作される図示しない各種操作ボタンや操作つまみなどを有している。この操作ボタンや操作つまみの入力操作の内容としては、例えばナビゲーション装置２００の動作内容の設定などの設定事項である。具体的には、取得する情報の内容や取得する条件などの設定、探索する経路に関する設定、車両１の移動状況である走行状態を表示させるなどが例示できる。そして、入力部２３０は、設定事項の入力操作により、所定の操作信号Ｓinを処理部２８０へ適宜出力して設定させる。なお、この入力部２３０としては、操作ボタンや操作つまみなどの入力操作に限らず、例えば表示部２４０に設けられたタッチパネルによる入力操作や、音声による入力操作など、各種設定事項を設定入力可能ないずれの構成が適用できる。
【００２１】
表示部２４０は、処理部２８０にて制御され処理部２８０からの画像データの画像信号Ｓdpを画面表示させる。画像データとしては、例えば一般地図情報や後述する特定エリア地図情報あるいは検索情報などの画像データの他、図示しないＴＶ受信機で受信したＴＶ画像データ、外部装置など光ディスクや磁気ディスク、メモリカードなどの記録媒体に記録されドライブやドライバなどにて読み取った画像データ、メモリ２７０からの画像データなどである。この表示部２４０としては、例えば液晶パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなどが例示できる。
【００２２】
音声出力部２５０は、例えば図示しないスピーカなどの発音手段を有する。この音声出力部２５０は、処理部２８０にて制御され、処理部２８０からの音声データなどの音声信号Ｓadを発音手段から音声により出力する。音声により出力する情報としては例えば車両１の走行方向や走行状況、交通状況、車両１の走行を案内する上で運転者などの搭乗者に報知する。なお、発音手段は、例えばＴＶ受信機で受信したＴＶ音声データや記録媒体さらにはメモリ２７０などに記録された音声データなどをも適宜出力可能である。また、音声出力部２５０は、発音手段を設けた構成に限らず、スピーカ３００，４００，５００，６００を利用する構成としてもよい。
【００２３】
記憶手段２６０は、例えば図３および図４に示すような第１の地図情報としての一般地図情報と、第２の地図情報としての特定エリア地図情報と、などを格納、すなわち読み出し可能に記憶する。この記憶手段２６０としては、ＨＤ（Hard Disc）、ＤＶＤ（Digital Versatile Disc）、光ディスク、メモリカードなどの記録媒体に読み出し可能に記憶するドライブやドライバなどが例示できる。
【００２４】
ここで、一般地図情報は、第１の地図としての一般地図に関する情報である。また、一般地図情報は、移動経路の探索処理や、特定のエリアに対応するランドスケープやサウンドスケープを出力させる処理である景観データの出力処理などの際に用いられる情報である。この一般地図情報は、例えば図３に示すようないわゆるＰＯＩ（Point Of Interest）データである表示用データＶＭと、例えば図４に示すようなマッチングデータＭＭと、移動経路探索用地図データと、などを備えている。
【００２５】
表示用データＶＭは、例えばそれぞれ固有の番号が付加された複数の表示用メッシュ情報ＶＭxを備えている。すなわち、表示用データＶＭは、一部の領域に関する表示用メッシュ情報ＶＭxに複数分割され、表示用メッシュ情報ＶＭxが縦横に複数連続して構成されている。なお、表示用メッシュ情報ＶＭxは、適宜一部の領域に関する下層の表示用メッシュ情報ＶＭxにさらに複数分割されていてもよい。
【００２６】
そして、表示用メッシュ情報ＶＭxは、例えば交差点の名称などの名称情報ＶＭxＡと、第１の経路情報および領域経路情報としても機能する道路情報ＶＭxＢと、背景情報ＶＭxＣと、にて構成されている。名称情報ＶＭxＡは、その領域における他要素データである例えば交差点の名称や地域の名称などを絶対座標との位置関係で所定の位置に配置表示させるデータのテーブル構造に構成されている。道路情報ＶＭxＢは、その領域における道路要素データである経路としての道路を絶対座標との位置関係で所定の位置に配置表示させるデータのテーブル構造に構成されている。背景情報ＶＭxＣは、他要素データである著名な場所や建造物などを示すマークや、その著名な場所や建造物などを示す他要素データである画像情報などを絶対座標との位置関係で所定の位置に配置表示させるデータのテーブル構造に構成されている。
【００２７】
一方、マッチングデータＭＭは、表示用データＶＭと同様に、例えばそれぞれ固有の番号が付加された一部の領域に関するマッチングメッシュ情報ＭＭxに複数分割され、マッチングメッシュ情報ＭＭxが縦横に複数連続して構成されている。なお、マッチングメッシュ情報ＭＭxは、適宜一部の領域に関する下層のマッチングメッシュ情報ＭＭxにさらに複数分割されていてもよい。また、マッチングメッシュ情報ＭＭxは、表示用メッシュ情報ＶＭxと異なる領域を表すデータ構造、すなわち分割される領域の縮尺が異なっていてもよい。
【００２８】
そして、マッチングデータＭＭは、例えば車両１の移動状態を一般地図情報に重畳させて表示させる際に、車両１を表す表示が道路上ではなく建物上に位置するなどの誤表示を防止するため、車両１を表す表示が道路上に位置するように表示を修正するマップマッチング処理に利用される。このマッチングデータＭＭは、複数のリンク列ブロック情報を有している。
【００２９】
リンク列ブロック情報は、図４に示すように、道路を構成し地点を表す地点情報としてのノードＮを結ぶ線分である線分情報としてのリンクＬが、所定の規則性で複数関連付けられたデータのテーブル構造である。具体的には、道路の所定の長さ例えば甲州街道や青梅街道などの連続する道路のように、リンクＬが折れ線上にそれぞれ連なった連続するリンク列となるもので関連付けられている。そして、リンクＬは、各リンクＬ毎に付加された固有の番号である線分固有情報（以下、リンクＩＤという。）と、リンクＬが結ぶ２つのノードＮを表す固有の番号などのノード情報とを有している。また、リンクＬは、ＶＩＣＳリンクに関連付けられ、ＶＩＣＳデータと地図表示との位置関係が対応するようになっている。
【００３０】
また、ノードＮは、各道路の交差点や屈曲点、分岐点、合流点などの結節点に相当する。そして、ノードＮに関する情報は、リンク列ブロック情報におけるノードＮ毎に付加された固有の番号である地点固有情報と、各ノードＮが存在する位置の座標情報と、交差点や分岐点などの複数のリンクが交差する分岐位置か否かの分岐情報であるフラグ情報と、を有している。
【００３１】
さらに、マッチングデータＭＭのリンク列ブロック情報には、道路の構成に関する情報、例えば車線数、本線か否か、国道や県道、有料道路などの種別やトンネル内などの構成などが関連付けられている。これら道路の構成に関する情報により、表示用データＶＭに対応して道路を地図表示可能となっている。
【００３２】
また、移動経路探索用地図情報は、例えばマッチングデータＭＭと同様のテーブル構造、すなわち道路を表すノードＮのように地点を表す地点情報とリンクＬのように地点を結ぶ線分情報とを有したテーブル構造で、各移動経路を探索するために道路を表すための情報構造となっている。
【００３３】
特定エリア地図情報は、第２の地図としてのエリア地図に関する情報である。また、特定エリア地図情報は、景観データの出力処理の際に利用される情報である。この特定エリア地図情報は、それぞれのエリアに対応する複数のエリア別情報を備えている。そして、エリア別情報は、エリア表示用データと、特定地点関連情報としてのランドスケープデータと、特定地点関連情報としてのサウンドスケープデータと、などを備えている。
【００３４】
エリア表示用データは、特定のエリアに対応するエリア地図を一般地図と同一の縮尺または異なる縮尺で表示させるデータであり、例えば表示用データＶＭの表示用メッシュ情報ＶＭxと略同一に構成されている。そして、このエリア表示用データは、特定地点位置情報としても機能するエリアポイントデータと、第２の経路情報としても機能するエリア道路データと、にて構成されている。エリアポイントデータは、エリアに存在するエリアポイントを絶対座標との位置関係で所定の位置に配置表示させるデータのテーブル構造に構成されている。エリア道路データは、エリアに存在する道路を絶対座標との位置関係で所定の位置に配置表示させるデータのテーブル構造に構成されている。
【００３５】
ランドスケープデータは、エリアに存在する少なくとも１つのエリアポイントに関連付けられている。このランドスケープデータは、関連付けられたエリアポイントに対応する画像を表示させるデータである。例えば凱旋門やエッフェル塔など建造物に関連付けられたランドスケープデータは、走行中の車両の車窓から臨む建造物や風景の画像を表示させるためのデータである。
【００３６】
サウンドスケープデータは、ランドスケープデータと同様に、エリアに存在する少なくとも１つのエリアポイントに関連付けられている。このサウンドスケープデータは、関連付けられたエリアポイントに対応する音を出力させるデータである。例えばイタリアのフィレンツェに関連付けられたサウンドスケープデータは、教会の鐘の音を出力させるデータである。
【００３７】
さらに、記憶手段２６０には、例えば一般地図情報における所定の地点の情報を取得するための検索情報が記憶されている。すなわち、検索情報は、一般地図情報上で順次細分化される領域となる都道府県名、市町村名、地区名、地点名などの内容やガイダンスなどの各種情報や、地点としての施設などに関する施設関連情報などで、例えば階層状に項目情報が関連付けられたツリー構造のテーブル構造となっている。
【００３８】
また、記憶手段２６０には、例えば一般地図情報における所定の地点の情報を取得するための検索情報が記憶されている。すなわち、検索情報は、一般地図情報上で順次細分化される領域となる都道府県名、市町村名、地区名、地点名などの内容やガイダンスなどの各種情報や、地点としての施設などに関する施設関連情報などで、例えば階層状に項目情報が関連付けられたツリー構造のテーブル構造となっている。
【００３９】
メモリ２７０は、入力部２３０で入力操作される設定事項、処理部２８０で取得したり生成した各種情報、音楽データや画像データなどを適宜読み出し可能に記憶する。また、メモリ２７０は、ナビゲーション装置２００全体を動作制御するＯＳ（Operating System）上に展開される各種プログラムなどを記憶している。このメモリ２７０としては、例えば停電などにより突然電源が落ちた際にも記憶が保持される構成のメモリ、例えばＣＭＯＳ（Complementary Metal-Oxide Semiconductor）メモリなどを用いることが望ましい。なお、メモリ２７０としては、ＨＤ、ＤＶＤ、光ディスクなどの記録媒体に読み出し可能に記憶するドライブやドライバなどを備えた構成としてもよい。
【００４０】
処理部２８０は、図示しない各種入出力ポート、例えば右ＦＳ３００に接続される右フロントスピーカポート、左ＦＳ４００に接続される左フロントスピーカポート、右ＲＳ５００に接続される右リアスピーカポート、左ＲＳ６００に接続される左リアスピーカポート、ＶＩＣＳアンテナが接続されるＶＩＣＳ受信ポート、ＧＰＳ受信部が接続されるＧＰＳ受信ポート、各種センサがそれぞれ接続されるセンサポート、入力部２３０が接続されるキー入力ポート、表示部２４０が接続される表示制御ポート、音声出力部２５０が接続される音声制御ポート、記憶手段２６０が接続される記憶ポート、メモリ２７０が接続されるメモリポートなどを有する。そして、処理部２８０は、各種プログラムとして、図５に示すように、現在位置情報取得手段としての現在位置認識手段２８１と、目的地情報取得手段としての目的地認識手段２８２と、表示制御手段２８３と、経路設定手段としての経路処理手段２８４と、第１の地図情報取得手段、第２の地図情報取得手段、比較手段および特定地点位置認識手段としても機能する合成地図情報生成手段２８５と、報知制御手段としても機能する近傍ポイント情報生成手段２８６と、報知制御手段としても機能するランドスケープ設定手段２８７と、報知制御手段および移動方向認識手段としても機能するサウンドスケープ設定手段２８８と、報知制御手段および地図表示制御手段としても機能する案内報知手段２８９と、マップマッチング手段２９０と、情報検索手段２９１と、などを備えている。
【００４１】
現在位置認識手段２８１は、車両１の現在位置を認識する。具体的には、現在位置認識手段２８１は、センサ部２１０の速度センサおよび方位角センサから出力される車両１の速度検出情報および走行方向情報を取得する。そして、取得した速度検出情報の速度データや走行方向情報の方位角データに基づいて、車両１の現在の擬似位置を複数算出する。さらに、現在位置認識手段２８１は、ＧＰＳ受信部から出力される現在位置に関するＧＰＳデータに基づいて、車両１の現在の擬似座標値を認識する。そして、現在位置認識手段２８１は、算出した現在の擬似位置と、認識した現在の擬似座標値とを比較し、別途取得された一般地図情報上における車両１の現在位置を算出し、現在位置を認識する。
【００４２】
また、現在位置認識手段２８１は、加速度センサから出力される加速度データに基づいて、走行する道路の傾斜や高低差を判断し、車両１の現在の擬似位置を算出し、現在位置を認識する。すなわち、立体交差点や高速道路など、平面上で重なる箇所でも、車両１の現在位置を正確に認識できる。さらに、山道や坂道を走行する際に、速度データや方位角データのみから得る移動距離と、実際の車両１の走行距離との誤差を、検出した道路の傾斜を用いて補正するなどにより正確な現在位置を認識する。なお、現在位置認識手段２８１は、現在位置として上述した車両１の現在位置の他、入力部２３０の入力操作により設定入力された起点となる出発地点などを、擬似現在位置として認識可能である。そして、現在位置認識手段２８１で取得した各種情報や、認識した現在位置に関する現在位置情報は、メモリ２７０に適宜記憶される。
【００４３】
目的地認識手段２８２は、例えば入力部２３０により設定入力された目的地に関する目的地情報を取得し、目的地の所在位置を認識する。設定入力される目的地情報としては、例えば緯度・経度などの座標、住所、電話番号など、場所を特定するための各種情報が利用可能である。また、目的地認識手段２８２は、記憶手段２６０に記憶された検索情報の施設関連情報が有する施設位置情報を目的地情報として適宜取得する。そして、目的地認識手段２８２で認識した目的地情報は、メモリ２７０に適宜記憶される。
【００４４】
表示制御手段２８３は、表示部２４０を適宜制御して各種情報を表示部２４０で表示させる。この表示制御手段２８３は、例えば入力部２３０による入力操作を促して各種情報を設定入力するための各種表示画面などをも表示制御する。
【００４５】
経路処理手段２８４は、利用者により設定入力される経路設定のための設定事項情報、ＶＩＣＳ受信部２２０にて取得したＶＩＣＳデータ、および、記憶手段２６０に記憶された一般地図情報などに基づいて、車両１の移動経路を演算してルート探索する。
【００４６】
具体的には、経路処理手段２８４は、現在位置情報、目的地情報、ＶＩＣＳデータ、および、設定事項情報を取得する。経路処理手段２８４は、各種情報を取得すると、これら各種情報に基づいて、一般地図情報の移動経路探索用地図情報を利用し、例えば車両１が通行可能な道路を探索する。そして、所要時間が短い経路、あるいは移動距離が短い経路、または交通渋滞や交通規制場所を回避した経路などを設定した移動経路情報を生成する。なお、この移動経路を探索する際、移動経路探索用地図情報の他、一般地図情報のマッチングデータＭＭを用いる場合もある。例えば、裏道などの幅の狭い道路などの移動経路探索用地図情報ではない道路を利用して移動経路を探索する場合などである。また、移動経路情報は、例えば車両１の走行の際に誘導して走行を補助する経路案内情報をも有する。この経路案内情報は、通常案内誘導処理時に用いられ、案内報知手段２８９の制御により、表示部２４０で適宜表示あるいは音声出力部２５０などで適宜音声出力され、走行が補助される。そして、この経路処理手段２８４で生成した移動経路情報は、メモリ２７０に適宜記憶される。
【００４７】
合成地図情報生成手段２８５は、現在位置情報、記憶手段２６０に記憶された一般地図情報や特定エリア地図情報などに基づいて、一般地図およびエリア地図を合成させたエリア合成地図に関するエリア合成地図情報を生成する。
【００４８】
具体的には、合成地図情報生成手段２８５は、入力部２３０から入力される操作信号Ｓinを適宜取得し、この操作信号Ｓinの地図取得要求情報としてのエリア選択情報に基づいて利用者により選択されたエリアを認識する。そして、このエリアに対応するエリア別情報を記憶手段２６０から取得する。また、合成地図情報生成手段２８５は、入力部２３０から入力される操作信号Ｓinを適宜取得し、この操作信号Ｓinの基点設定情報に基づいて利用者によりエリア地図の任意の道路上に設定された基点を認識する。そして、この基点が設定された道路を選択エリア道路として設定する。ここで、基点を認識する方法としては、例えばエリア別情報のエリア表示用データに基づいたエリア地図とともに、このエリア地図上で移動可能なカーソルを表示部２４０に表示させる。そして、このカーソルの位置を特定する入力操作で生成される基点設定情報に基づいて、このカーソルの位置に対応する道路上の地点を基点として認識する方法が例示できる。また、例えば「シャンゼリゼ通り」など特定の道路の名称などのテキスト入力操作で生成される基点設定情報に基づいて、この道路上の任意の地点を基点として認識する方法が例示できるが、これらに限られない。
【００４９】
さらに、合成地図情報生成手段２８５は、現在位置情報を取得して車両１の現在位置を認識する。また、この現在位置近傍の一般地図（以下、現在位置地図と称す）に対応する表示用データＶＭを記憶手段２６０から取得する。そして、この表示用データＶＭの道路情報ＶＭxＢに基づいて、現在位置地図に存在する道路の形状を認識する。また、エリア別情報が有するエリア表示用データのエリア道路データに基づいて、選択エリア道路の形状を認識する。そして、現在位置地図に存在する道路の形状および選択エリア道路の形状を比較し、エリア地図が現在位置地図と同一縮尺の場合、選択エリア道路と略同一形状の道路が現在位置地図に存在するか否かを認識する。また、エリア地図が現在位置地図と異なる縮尺の場合、選択エリア道路と略相似形状の道路が現在位置地図に存在するか否かを認識する。ここで、選択エリア道路と略同一形状または略相似形状の道路（以下、選択相似道路と称す）が現在位置地図に存在するか否かを認識する方法としては、例えば以下のような方法が例示できる。すなわち、例えば現在位置地図が示す方角とエリア地図が示す方角とが略一致するように、道路情報ＶＭxＢとエリア道路データとを対応させる。そして、例えば現在位置地図上に存在する各道路について、選択エリア道路の任意の区間に略対応する位置に存在する区間の距離の積算値を認識する。さらに、この積算値を例えば選択エリア道路の距離で除した値を求める。そして、この求めた値が所定値以上でありかつ最も大きい道路を選択相似道路として認識する方法が例示できるがこれに限られない。
【００５０】
なお、ここでは、道路情報ＶＭxＢおよびエリア道路データを用いて選択相似道路が存在するか否かを認識する構成について例示したが、これに限らず例えば以下のような構成などとしてもよい。すなわち、特定エリア地図情報にマッチングデータＭＭと同様のエリアマッチングデータを組み込む。そして、現在位置地図に対応するマッチングデータおよびエリア地図に対応するエリアマッチングデータに基づいて、選択相似道路が存在するか否かを認識する構成などとしてもよい。
【００５１】
また、合成地図情報生成手段２８５は、現在位置地図に選択相似道路が存在することを認識すると、エリア表示用データのエリアポイントデータに基づいて、エリア地図上のエリアポイントの位置を認識する。そして、選択相似道路と選択エリア道路とを対応させた状態において現在位置地図上におけるエリアポイントに対応する地点を、対応地点であるポイント対応地点として認識する。さらに、合成地図情報生成手段２８５は、表示用データＶＭに基づいた現在位置地図の道路と、ポイント対応地点に配置表示されるエリアポイントを示す特定地点情報としてのエリアポイントマークと、などから構成されるエリア合成地図に関するエリア合成地図情報を生成する。そして、この合成地図情報生成手段２８５で生成したエリア合成地図情報は、メモリ２７０に適宜記憶される。
【００５２】
近傍ポイント情報生成手段２８６は、現在位置情報、エリア合成地図情報などに基づいて、車両１が任意のポイント対応地点の範囲内に存在することを適宜認識する。そして、このポイント対応地点に対応するエリアポイントに関する近傍ポイント情報を生成する。
【００５３】
具体的には、近傍ポイント情報生成手段２８６は、エリア合成地図情報に基づくエリア合成地図上に任意の大きさのグリッドを適宜設定する。また、近傍ポイント情報生成手段２８６は、現在位置情報やエリア合成地図情報などに基づいて、エリア合成地図上における車両１の現在位置を適宜認識する。そして、車両１が任意のエリアポイントマークを含むグリッドに存在する、すなわち車両１が任意のポイント対応地点の範囲内に存在することを認識すると、このポイント対応地点に対応するエリアポイントなどが記載された近傍ポイント情報を適宜生成する。また、近傍ポイント情報生成手段２８６は、入力部２３０から入力される操作信号Ｓinを適宜取得し、この操作信号Ｓinの景観データ選択情報に基づいて利用者によりランドスケープおよびサウンドスケープのうちの少なくともいずれか一方の出力が要求されていることを認識する。そして、ランドスケープのみの出力が要求されていることを認識すると、近傍ポイント情報をランドスケープ設定手段２８７へ出力する。また、サウンドスケープのみの出力が要求されていることを認識すると、近傍ポイント情報をサウンドスケープ設定手段２８８へ出力する。さらに、ランドスケープおよびサウンドスケープの出力が要求されていることを認識すると、近傍ポイント情報をランドスケープ設定手段２８７およびサウンドスケープ設定手段２８８へ出力する。
【００５４】
ランドスケープ設定手段２８７は、現在位置情報、速度検出情報、エリア合成地図情報、近傍ポイント情報生成手段２８６からの近傍ポイント情報などに基づいて、ランドスケープの出力状態を設定する。
【００５５】
具体的には、ランドスケープ設定手段２８７は、近傍ポイント情報生成手段２８６から近傍ポイント情報を取得すると、車両１が任意のポイント対応地点の範囲内に存在していることを認識する。そして、現在位置情報およびエリア合成地図情報に基づいて、車両１の現在位置からポイント対応地点までの距離を認識する。さらに、ランドスケープ設定手段２８７は、速度検出情報を取得して、車両１の走行速度を認識する。そして、例えば認識したポイント対応地点までの距離を走行速度で除することにより、ポイント対応地点までの所要時間を算出する。なお、車両１からポイント対応地点までの距離を認識したり所要時間を算出する方法としては、適宜他の方法を用いてもよい。さらに、ランドスケープ設定手段２８７は、ポイント対応地点までの所要時間に基づいて、ランドスケープデータの再生速度を決定する。例えば、車両１がポイント対応地点に最も近づいたときにエリアポイントにある例えば建造物を最も大きく表示させる状態となるように再生速度を決定する。そして、この再生速度に関するランドスケープ出力形態情報を適宜生成する。また、このポイント対応地点に対応するエリアポイントのランドスケープデータを特定するランドスケープ特定情報を適宜生成する。そして、ランドスケープ設定手段２８７は、生成した各種情報を案内報知手段２８９へ出力する。
【００５６】
サウンドスケープ設定手段２８８は、現在位置情報、走行方向情報、エリア合成地図情報、近傍ポイント情報生成手段２８６からの近傍ポイント情報などに基づいて、サウンドスケープの出力状態を設定する。
【００５７】
具体的には、サウンドスケープ設定手段２８８は、近傍ポイント情報生成手段２８６から近傍ポイント情報を取得すると、車両１が任意のポイント対応地点の範囲内に存在していることを認識する。また、サウンドスケープ設定手段２８８は、走行方向情報を取得して車両１の走行方向を認識する。さらに、現在位置情報およびエリア合成地図情報に基づいて、車両１の走行方向に対するポイント対応地点の方向を認識する。そして、サウンドスケープ設定手段２８８は、この認識したポイント対応地点の方向に基づいて、スピーカ３００，４００，５００，６００からの音の出力状態を設定する値（以下、パンポット（Panpot）値と称す）を決定する。例えば、ポイント対応地点に対応するエリアポイントの教会が車両１の左前部の方向にある場合、教会の鐘の音などを左ＦＳ４００から出力させる状態にパンポット値を決定する。さらに、サウンドスケープ設定手段２８８は、車両１の現在位置からポイント対応地点までの距離を認識し、この認識した距離に基づいてスピーカ３００，４００，５００，６００の音量を決定する。例えば、ポイント対応地点に対応するエリアポイントの教会までの距離が長い場合に音量を小さい値に決定し、短い場合に大きい値に決定する。そして、パンポット値および音量に関するサウンドスケープ出力形態情報を適宜生成する。また、このポイント対応地点に対応するエリアポイントのサウンドスケープデータを特定するサウンドスケープ特定情報を適宜生成する。そして、サウンドスケープ設定手段２８８は、生成した各種情報を案内報知手段２８９へ出力する。
【００５８】
案内報知手段２８９は、メモリ２７０に記憶され車両１の走行状況に対応して予め取得した移動経路情報などに基づいて通常案内誘導処理を実施して、車両１の移動に関する案内、例えば車両の走行を支援する内容の案内を、表示部２４０による画像表示や音声出力部２５０による発音にて報知する。具体的には、所定の矢印や記号などを表示部２４０に表示したり、「１ｋｍ先、○○交差点を△△方面右方向です。」、「移動経路から逸脱しました。」、「この先、渋滞です。」などの音声出力部２５０における音声により発音したり、することなどが例示できる。
【００５９】
また、案内報知手段２８９は、合成地図情報生成手段２８５にて生成されたエリア合成地図情報に基づいて、エリア合成地図を表示部２４０に表示させる。
【００６０】
さらに、案内報知手段２８９は、記憶手段２６０に記憶されたランドスケープデータやランドスケープ設定手段２８７からの各種情報などに基づいて、表示部２４０からランドスケープを出力する。具体的には、案内報知手段２８９は、ランドスケープ設定手段２８７からのランドスケープ特定情報を取得し、このランドスケープ特定情報で特定されるランドスケープデータを記憶手段２６０から適宜取得する。また、ランドスケープ設定手段２８７からランドスケープ出力形態情報を取得して、ランドスケープデータの再生速度を認識する。そして、例えばこの再生速度でランドスケープデータを画像信号Ｓdpに変換して、表示部２４０へ出力する。
【００６１】
また、案内報知手段２８９は、記憶手段２６０に記憶されたサウンドスケープデータやサウンドスケープ設定手段２８８からの各種情報などに基づいて、スピーカ３００，４００，５００，６００からサウンドスケープを出力する。具体的には、案内報知手段２８９は、サウンドスケープ設定手段２８８からのサウンドスケープ特定情報を取得し、このサウンドスケープ特定情報で特定されるサウンドスケープデータを記憶手段２６０から適宜取得する。また、サウンドスケープ設定手段２８８からサウンドスケープ出力形態情報を取得して、スピーカ３００，４００，５００，６００の音量やパンポット値を認識する。そして、サウンドスケープデータをスピーカ信号Ｓspに適宜変換し、このスピーカ信号Ｓspを認識した音量やパンポット値に基づいて、スピーカ３００，４００，５００，６００へ出力する。
【００６２】
マップマッチング手段２９０は、記憶手段２６０から取得する一般地図情報などに基づいて、現在位置認識手段２８１にて認識した現在位置を適切に表示させるためのマップマッチング処理をする。このマップマッチング手段２９０は、上述したように、例えばマッチングデータＭＭを用い、現在位置を表示部２４０で一般地図などに重畳して表示される位置が、表示部２４０で表示される地図を構成する要素である道路から逸脱しないように、現在位置情報を適宜修正すなわち補正して表示させるマップマッチング処理を実施する。なお、マップマッチング手段２９０は、エリア合成地図を構成する道路として現在位置地図すなわち一般地図を構成する道路を利用しているので、エリア合成地図に対するマップマッチング処理もマッチングデータＭＭを用いて実施する。
【００６３】
情報検索手段２９１は、例えば入力部２３０にて設定入力された検索情報の検索要求により、記憶手段２６０に記憶された検索情報を、例えば店舗や施設などの項目情報などに基づいて階層状に検索して取得する。
【００６４】
〔ナビゲーションシステムの動作〕
次に、ナビゲーションシステム１００の動作として、景観データの出力処理について、図６ないし図１０に基づいて説明する。図６は、景観データの出力処理を示すフローチャートである。図７は、エリア合成地図情報のテーブル構造を模式的に示す概念図である。図８は、エリア合成地図情報のテーブル構造を模式的に示す概念図である。図９は、エリア合成地図の表示画面の一例を示す模式図である。図１０は、エリア合成地図の表示画面の一例を示す模式図である。
【００６５】
まず、車両１に搭乗した利用者がナビゲーションシステム１００のナビゲーション装置２００の電源をオンし、電力を供給する。この電力の供給により、処理部２８０は、入力部２３０を制御してメインメニューを表示させ、利用者にナビゲーション装置２００に動作させる内容の設定入力を促す表示画面を表示部２４０に表示させる。そして、処理部２８０は、利用者の入力操作による任意の処理を実施させる旨の設定入力を認識すると、この任意の処理を適宜実施する。この後、利用者は、入力部２３０の入力操作により、特定のエリアに関する景観データの出力処理を実施させる旨を設定入力する。この景観データの出力処理を実施させる旨の設定入力を処理部２８０が認識すると、エリア選択情報および景観データ選択情報の設定入力を促す表示画面を表示部２４０に表示させる。
【００６６】
この後、処理部２８０は、合成地図情報生成手段２８５にて、利用者により設定入力されたエリア選択情報と、景観データ選択情報と、を適宜取得する。そして、合成地図情報生成手段２８５は、図６に示すように、エリア選択情報に基づいて、利用者により選択されたエリアを認識し（ステップＳ１０１）、この認識したエリアのエリア地図に関するエリア別情報を記憶手段２６０から適宜取得する。例えば、エリアとして「パリ」が選択された場合、「パリ」のエリア地図に関するエリア別情報を取得する。また、エリアとして例えば「シルクロード」が選択された場合、「パリ」のエリア地図よりも縮尺が小さい「シルクロード」のエリア地図に関するエリア別情報を取得する。この後、合成地図情報生成手段２８５は、利用者により設定入力された基点設定情報を適宜取得し、この基点設定情報に基づいてエリア地図の任意の道路上に基点を設定する（ステップＳ１０２）。さらに、この基点が設定された道路を選択エリア道路として設定する。例えば、合成地図情報生成手段２８５は、図７に示すように、「パリ」のエリア地図Ｅ１に存在する道路のうち基点が設定された道路を選択エリア道路Ｄ１として設定する。また、図８に示すように、「シルクロード」のエリア地図Ｅ２に存在する道路のうち基点が設定された道路を選択エリア道路Ｄ２として設定する。さらに、処理部２８０は、現在位置認識手段２８１にて、車両１の現在位置を認識する（ステップＳ１０３）。具体的には、現在位置認識手段２８１により、センサ部２１０の速度センサから出力される速度検出情報の速度データや方位角センサから出力される走行方向情報の方位角データと、ＧＰＳ受信部から出力される現在位置に関するＧＰＳデータとに基づいて、車両１の現在位置を算出して現在位置情報を取得する。この取得した現在位置情報は、メモリ２７０に適宜記憶される。
【００６７】
この後、処理部２８０は、合成地図情報生成手段２８５にて、現在位置近傍の一般地図すなわち現在位置地図に関する表示用データＶＭを記憶手段２６０から取得する。例えば、合成地図情報生成手段２８５は、「パリ」のエリア地図と同一縮尺の現在位置地図に関する表示用データＶＭや、「シルクロード」のエリア地図よりも大きい縮尺の現在位置地図に関する表示用データＶＭを取得する。そして、この表示用データＶＭとエリア別情報のエリア表示用データとに基づいて、現在位置地図に選択相似道路が存在するか否かを判断する（ステップＳ１０４）。このステップＳ１０４において、選択相似道路が存在していないと判断した場合、エリアを再設定するか否かを判断する（ステップＳ１０５）。例えば、合成地図情報生成手段２８５は、景観データの出力処理を終了するか否かに関する処理継続情報の設定入力を促す表示画面を表示部２４０に表示させ、設定入力される処理継続情報に基づいてエリアを再設定するか否かを判断する。そして、ステップＳ１０５において、処理部２８０は、合成地図情報生成手段２８５で再設定しないと判断した場合、景観データの出力処理を終了する。一方、処理部２８０は、合成地図情報生成手段２８５で再設定すると判断した場合、ステップＳ１０１に戻る。
【００６８】
また、ステップＳ１０４において、合成地図情報生成手段２８５は、選択相似道路が存在していると判断した場合、エリア合成地図情報を生成する。例えば、合成地図情報生成手段２８５は、図７に示すように、エリア地図Ｅ１と同一縮尺の現在位置地図Ｆ１に存在する道路の中に選択エリア道路Ｄ１と略同一形状の選択相似道路Ｒ１が存在していると判断した場合、現在位置地図Ｆ１における「凱旋門」や「コンコルド広場」などのポイント対応地点を認識する。そして、現在位置地図Ｆ１の道路や、ポイント対応地点に配置表示されるエリアポイントマークＰ１１，Ｐ１２，Ｐ１３，Ｐ１４などから構成されるエリア合成地図Ｈ１のエリア合成地図情報を生成する。また、例えば、合成地図情報生成手段２８５は、図８に示すように、エリア地図Ｅ２よりも大きい縮尺の現在位置地図Ｆ１に存在する道路の中に選択エリア道路Ｄ２と略相似形状の選択相似道路Ｒ１が存在していると判断した場合、現在位置地図Ｆ１の道路や、エリアポイントマークＰ２１，Ｐ２２，Ｐ２３，Ｐ２４，Ｐ２５，Ｐ２６などから構成されるエリア合成地図Ｈ２のエリア合成地図情報を生成する。この生成されたエリア合成地図情報は、メモリ２７０に適宜記憶される。
【００６９】
この後、処理部２８０は、案内報知手段２８９にて、メモリ２７０に記憶されたエリア合成地図情報に基づいてエリア合成地図を表示部２４０に表示させる。さらに、案内報知手段２８９は、車両１の現在位置を示す現在位置アイコンをエリア合成地図に重畳させて表示させる。例えば、案内報知手段２８９は、メモリ２７０からエリア合成地図Ｈ１に関するエリア合成地図情報を取得した場合、図９に示すように、エリア合成地図Ｈ１を表示部２４０の表示領域２４１に表示させる。そして、現在位置情報を取得して、このエリア合成地図Ｈ１に現在位置アイコンＱ１を重畳させて表示させる。また、例えば、案内報知手段２８９は、メモリ２７０からエリア合成地図Ｈ２に関するエリア合成地図情報を取得した場合、図１０に示すように、エリア合成地図Ｈ２に現在位置アイコンＱ２を重畳させて表示させる。
【００７０】
さらに、処理部２８０は、近傍ポイント情報生成手段２８６にて、エリア合成地図上におけるグリッドを設定する（ステップＳ１０６）。例えば、近傍ポイント情報生成手段２８６は、図９，１０に示すような想像線Ｇで区切られるグリッドを設定する。そして、近傍ポイント情報生成手段２８６は、車両１がいずれかのポイント対応地点の範囲内に存在しているか否かを判断する（ステップＳ１０７）。このステップＳ１０７において、ポイント対応地点の範囲内に存在していないと判断した場合、ステップＳ１０３に戻る。一方、ステップＳ１０７において、近傍ポイント情報生成手段２８６は、ポイント対応地点の範囲内に存在していると判断した場合、このポイント対応地点に対応したエリアポイントに関する近傍ポイント情報を生成する。例えば、近傍ポイント情報生成手段２８６は、図９に示すように、現在位置アイコンＱ１がエリアポイントマークＰ１４を含むグリッドに存在している、すなわち車両１が「ルーブル美術館」に対応するポイント対応地点の範囲内に存在していることを認識した場合、「ルーブル美術館」に関する近傍ポイント情報を生成する。また、例えば、図１０に示すように、車両１が「敦煌」に対応するポイント対応地点の範囲内に存在していることを認識した場合、「敦煌」に関する近傍ポイント情報を生成する。
【００７１】
そして、近傍ポイント情報生成手段２８６は、エリア選択情報とともに取得した景観データ選択情報に基づいて、ランドスケープの出力が要求されているか否かを判断する（ステップＳ１０８）。このステップＳ１０８において、ランドスケープの出力が要求されていると判断した場合、近傍ポイント情報をランドスケープ設定手段２８７へ出力する。ランドスケープ設定手段２８７は、近傍ポイント情報生成手段２８６から近傍ポイント情報を取得すると、車両１がいずれのポイント対応地点の範囲内に存在するかを認識する。そして、このポイント対応地点までの距離を認識するとともに、車両１の走行速度を認識する（ステップＳ１０９）。さらに、ランドスケープ設定手段２８７は、これら認識した事項に基づいて、ポイント対応地点までの所要時間を算出する（ステップＳ１１０）。そして、この所要時間に基づいて、ランドスケープデータの再生速度を決定し、この再生速度に関するランドスケープ出力形態情報を生成する。さらに、ランドスケープ設定手段２８７は、このポイント対応地点に対応するエリアポイントのランドスケープデータを特定するランドスケープ特定情報を生成する。そして、これら各種情報を案内報知手段２８９へ出力する。案内報知手段２８９は、ランドスケープ設定手段２８７から各種情報を取得すると、ランドスケープ出力形態情報に基づいて、ランドスケープデータの再生速度を設定する（ステップＳ１１１）。さらに、ランドスケープ特定情報に基づいて、ランドスケープデータを記憶手段２６０から取得する。
【００７２】
また、処理部２８０は、近傍ポイント情報生成手段２８６にて、景観データ選択情報に基づいて、サウンドスケープの出力が要求されているか否かを判断する（ステップＳ１１２）。このステップＳ１１２において、サウンドスケープの出力が要求されていると判断した場合、近傍ポイント情報をサウンドスケープ設定手段２８８へ出力する。サウンドスケープ設定手段２８８は、近傍ポイント情報を取得すると、車両１がいずれのポイント対応地点の範囲内に存在するかを認識する。そして、このポイント対応地点の車両１の走行方向に対する方向を認識し（ステップＳ１１３）、この方向に基づいてパンポット値を決定する（ステップＳ１１４）。さらに、サウンドスケープ設定手段２８８は、車両１からポイント対応地点までの距離を認識し（ステップＳ１１５）、この距離に基づいてスピーカ３００，４００，５００，６００の音量を決定する（ステップＳ１１６）。そして、これら決定したパンポット値および音量に関するサウンドスケープ出力形態情報を生成する。さらに、サウンドスケープ設定手段２８８は、このポイント対応地点に対応するエリアポイントのサウンドスケープデータを特定するサウンドスケープ特定情報を生成する。そして、これら各種情報を案内報知手段２８９へ出力する。案内報知手段２８９は、サウンドスケープ設定手段２８８から各種情報を取得すると、サウンドスケープ出力形態情報に基づいて、パンポット値および音量を設定する（ステップＳ１１７）。さらに、サウンドスケープ特定情報に基づいて、サウンドスケープデータを記憶手段２６０から取得する。
【００７３】
そして、案内報知手段２８９は、利用者により要求されたランドスケープやサウンドスケープを出力する（ステップＳ１１８）。具体的には、案内報知手段２８９は、ステップＳ１０９ないしステップＳ１１１の処理を実施している場合、ランドスケープデータを設定された再生速度で再生してランドスケープを表示部２４０に表示させる。例えば、案内報知手段２８９は、図９における現在位置アイコンＱ１の位置から選択相似道路Ｒ１に沿って左方に移動するにしたがって「ルーブル美術館」を大きく表示させ、エリアポイントマークＰ１４に最も近づいたときに最も大きく表示させる。ここで、ランドスケープを表示部２４０に表示させる構成としては、エリア合成地図と並べて表示させる構成や、エリア合成地図の表示を中断しランドスケープのみを表示させる構成などが例示できる。また、案内報知手段２８９は、ステップＳ１１３ないしステップＳ１１４の処理を実施している場合、サウンドスケープデータを設定した音量やパンポット値に基づいた出力状態で出力させる。
【００７４】
一方、ステップＳ１０８において、近傍ポイント情報生成手段２８６は、ランドスケープの出力が要求されていないと判断した場合、ステップＳ１１２の処理を実施する。また、ステップＳ１１２において、近傍ポイント情報生成手段２８６は、サウンドスケープの出力が要求されていないと判断した場合、ステップＳ１１８の処理を実施する。
【００７５】
そして、近傍ポイント情報生成手段２８６は、ステップＳ１１８の処理を実施すると、ランドスケープやサウンドスケープの出力を終了するか否かを判断する（ステップＳ１１９）。例えば、近傍ポイント情報生成手段２８６は、ランドスケープデータやサウンドスケープデータの出力が終了したか否かや、利用者により強制終了する旨の設定入力がされたか否かを判断する。このステップＳ１１９において、処理部２８０は、近傍ポイント情報生成手段２８６で出力を終了すると判断した場合、景観データの出力処理を終了する。一方、ステップＳ１１９において、処理部２８０は、近傍ポイント情報生成手段２８６で出力を終了しないと判断した場合、ステップＳ１０３に戻る。
【００７６】
〔ナビゲーションシステムの作用効果〕
上述したように、上記実施の形態では、ナビゲーションシステム１００のナビゲーション装置２００は、処理部２８０の現在位置認識手段２８１にて、車両１の現在位置に関する現在位置情報を取得して車両１の現在位置を認識する。そして、処理部２８０は、合成地図情報生成手段２８５にて、車両１の現在位置近傍を示す現在位置地図に関する一般地図情報を取得する。また、特定のエリアを示すエリア地図に関するエリア別情報を取得する。そして、合成地図情報生成手段２８５は、一般地図情報を構成する道路情報ＶＭxＢにより示される道路と、エリア別情報を構成するエリア道路データにより示される選択エリア道路と、を比較し、現在位置地図に選択エリア道路と略相似形状を有する選択相似道路が存在するか否かを認識する。この後、処理部２８０は、現在位置地図に選択相似道路が存在することを認識すると、案内報知手段２８９にてエリア地図に存在するエリアポイントの例えばランドスケープを表示部２４０に表示させる。
【００７７】
このため、ナビゲーション装置２００は、現在位置地図に対応させてエリア地図に存在する「ルーブル美術館」や「コンコルド広場」などのエリアポイントの例えばランドスケープを表示させることができる。したがって、利用者は、実際に例えば「パリ」に行かなくても現在位置地図に対応して表示されるランドスケープにより、「パリ」の雰囲気を現実的に体感できる。よって、ナビゲーション装置２００は、特定の領域に関する情報を良好に報知できる。
【００７８】
処理部２８０は、現在位置地図に選択相似道路が存在することを認識すると、エリアポイントの例えばランドスケープを表示させる。このため、処理部２８０は、現在位置地図およびエリア地図のそれぞれに存在する道路の形状を比較するだけの簡単な処理に基づいて、エリアポイントのランドスケープを表示させることができる。したがって、ナビゲーション装置２００は、景観データの出力処理をより迅速にできる。
【００７９】
合成地図情報生成手段２８５は、選択相似道路と選択エリア道路とを対応させた状態における現在位置地図上のエリアポイントに対応する地点をポイント対応地点として認識する。この後、案内報知手段２８９は、現在位置地図上のポイント対応地点に対応するエリアポイントの例えばランドスケープを表示させる。このため、ナビゲーション装置２００は、現在位置地図上の例えば「ルーブル美術館」や「コンコルド広場」などのエリアポイントに対応するポイント対応地点の位置関係に応じて、「ルーブル美術館」や「コンコルド広場」などの例えばランドスケープを表示させることができる。したがって、利用者は、ポイント対応地点の位置関係、すなわちエリアポイントの位置関係に応じて表示されるランドスケープにより、例えば「パリ」の雰囲気をより現実的に体感できる。よって、ナビゲーション装置２００は、特定の領域に関する情報をより良好に報知できる。
【００８０】
合成地図情報生成手段２８５は、エリア地図が現在位置地図と同一縮尺の場合、現在位置地図に選択エリア道路と略同一形状の選択相似道路が存在することを認識すると、選択相似道路と選択エリア道路とを対応させた状態における現在位置地図上のポイント対応地点を認識する。このため、ナビゲーション装置２００は、選択エリア道路と略同一形状の選択相似道路に対するポイント対応地点の位置関係に応じて、エリアポイントの例えばランドスケープを表示させることができる。したがって、利用者は、ランドスケープにより選択相似道路に対するエリアポイントの擬似的な位置関係を認識でき、選択エリア道路の実際の状況を体感できる。よって、ナビゲーション装置２００は、特定の領域に関する情報をより良好に報知できる。
【００８１】
合成地図情報生成手段２８５は、エリア地図が現在位置地図と異なる縮尺の場合、現在位置地図に選択エリア道路と略相似形状の選択相似道路が存在することを認識すると、ポイント対応地点を認識する。このため、ナビゲーション装置２００は、選択エリア道路の実際の大きさが選択相似道路の大きさと異なる場合でも、選択エリア道路と略相似形状の選択相似道路に対するポイント対応地点の相対位置関係に応じて、エリアポイントの例えばランドスケープを表示できる。したがって、利用者は、ランドスケープにより選択相似道路に対するエリアポイントの擬似的な相対位置関係を認識でき、選択エリア道路の相対的な状況を体感できる。よって、ナビゲーション装置２００は、特定の領域に関する情報をさらに良好に報知できる。
【００８２】
処理部２８０は、近傍ポイント情報生成手段２８６にて、車両１が現在位置地図上のいずれかのポイント対応地点の範囲内に存在していることを認識すると、このポイント対応地点に対応するエリアポイントの近傍ポイント情報を生成する。そして、近傍ポイント情報生成手段２８６は、この近傍ポイント情報を例えばランドスケープ設定手段２８７へ出力する。ランドスケープ設定手段２８７は、近傍ポイント情報を取得すると、ランドスケープの出力形態に関するランドスケープ出力形態情報およびランドスケープデータを特定するランドスケープ特定情報を案内報知手段２８９へ出力する。案内報知手段２８９は、ランドスケープ出力形態情報およびランドスケープ特定情報を取得すると、ポイント対応地点に対応するエリアポイントのランドスケープを表示させる。このため、ナビゲーション装置２００は、車両１が現在位置地図上のポイント対応地点近傍に到達した際に、このポイント対応地点に対応するエリアポイントの例えばランドスケープを表示できる。したがって、利用者は、ランドスケープにより選択エリア道路を走行した場合の状況を体感できる。よって、ナビゲーション装置２００は、特定の領域に関する情報をより良好に報知できる。
【００８３】
案内報知手段２８９は、スピーカ３００，４００，５００，６００からエリアポイントのサウンドスケープを出力させる。このため、利用者は、サウンドスケープを聴取することにより、運転中であっても前方から視線をそらすことなく選択エリア道路を走行した場合の状況を体感できる。したがって、ナビゲーション装置２００は、特定の領域に関する情報をさらに良好に報知できる。
【００８４】
サウンドスケープ設定手段２８８は、車両１からポイント対応地点までの距離を認識し、この距離に基づいてサウンドスケープの出力形態を設定する。そして、このサウンドスケープの出力形態に関するサウンドスケープ出力形態情報およびサウンドスケープデータを特定するサウンドスケープ特定情報を案内報知手段２８９へ出力する。案内報知手段２８９は、これらの情報を取得すると、ポイント対応地点に対応するエリアポイントのサウンドスケープをポイント対応地点までの距離に応じた出力形態で出力させる。このため、利用者は、サウンドスケープの出力形態により車両１からエリアポイントまでの擬似的な距離を認識でき、選択エリア道路を走行した場合の状況をより現実的に体感できる。したがって、ナビゲーション装置２００は、特定の領域に関する情報をさらに良好に報知できる。
【００８５】
サウンドスケープ設定手段２８８は、スピーカ３００，４００，５００，６００の音量を車両１からポイント対応地点までの距離に対応した値に設定し、この音量に関するサウンドスケープ出力形態情報を案内報知手段２８９へ出力する。案内報知手段２８９は、サウンドスケープ出力形態情報を取得すると、ポイント対応地点に対応するエリアポイントのサウンドスケープをポイント対応地点までの距離に応じた音量で出力させる。このため、利用者は、サウンドスケープの音量の変化により車両１からエリアポイントまでの擬似的な距離の変化を認識でき、選択エリア道路を走行した場合の状況をさらに現実的に体感できる。したがって、ナビゲーション装置２００は、特定の領域に関する情報をさらに良好に報知できる。また、ナビゲーション装置２００は、スピーカ３００，４００，５００，６００の音量を設定するだけの簡単な方法で、利用者に選択エリア道路を走行した場合の状況をより現実的に体感させることができる。したがって、ナビゲーション装置２００は、サウンドスケープをより迅速に出力させることができる。
【００８６】
サウンドスケープ設定手段２８８は、ポイント対応地点の車両１の走行方向に対する方向を認識する。そして、この方向に基づいてスピーカ３００，４００，５００，６００からの音の出力形状態を設定するパンポット値を設定し、このパンポット値に関するサウンドスケープ出力形態情報を案内報知手段２８９へ出力する。案内報知手段２８９は、サウンドスケープ出力形態情報を取得すると、ポイント対応地点に対応するエリアポイントのサウンドスケープを、車両１の走行方向に対するポイント対応地点の方向に応じたスピーカ３００，４００，５００，６００から出力させる。このため、利用者は、サウンドスケープが出力されるスピーカ３００，４００，５００，６００を認識することにより、走行方向に対するエリアポイントの擬似的な方向を認識でき、選択エリア道路を走行した場合の状況をさらに現実的に体感できる。したがって、ナビゲーション装置２００は、特定の領域に関する情報をさらに良好に報知できる。
【００８７】
案内報知手段２８９は、表示部２４０にエリアポイントのランドスケープを表示させる。このため、利用者は、例えば停車中など任意のタイミングで表示部２４０のランドスケープを視認することにより、選択エリア道路を走行した場合の状況を体感できる。したがって、ナビゲーション装置２００は、特定の領域に関する情報をより良好に報知できる。
【００８８】
ランドスケープ設定手段２８７は、車両１からポイント対応地点までの距離を認識し、この距離に基づいてランドスケープの表示形態を設定する。そして、このランドスケープの表示形態に関するランドスケープ出力形態情報およびランドスケープデータを特定するランドスケープ特定情報を案内報知手段２８９へ出力する。案内報知手段２８９は、これらの情報を取得すると、ポイント対応地点に対応するエリアポイントのランドスケープをポイント対応地点までの距離に応じた表示形態で表示させる。このため、利用者は、ランドスケープの表示形態により車両１の現在位置からエリアポイントまでの擬似的な距離を認識でき、選択エリア道路を走行した場合の状況をより現実的に体感できる。したがって、ナビゲーション装置２００は、特定の領域に関する情報をさらに良好に報知できる。
【００８９】
ランドスケープ設定手段２８７は、車両１がポイント対応地点に最も近づいたときにエリアポイントにある例えば建造物を最も大きく表示させる状態となるように、ランドスケープデータの再生速度を設定し、この再生速度に関するランドスケープ出力形態情報を案内報知手段２８９へ出力する。案内報知手段２８９は、ランドスケープ出力形態情報を取得すると、ポイント対応地点までの距離に応じた大きさでエリアポイントの建造物が表示されるようにサウンドスケープデータを再生する。このため、利用者は、ランドスケープとして表示される例えば建造物の大きさの変化により車両１からエリアポイントまでの擬似的な距離の変化を認識でき、選択エリア道路を走行した場合の状況をさらに現実的に体感できる。したがって、ナビゲーション装置２００は、特定の領域に関する情報をさらに良好に報知できる。
【００９０】
案内報知手段２８９は、エリアポイントの景観を示すランドスケープやサウンドスケープを表示部２４０やスピーカ３００，４００，５００，６００から出力させる。このため、利用者は、ランドスケープやサウンドスケープによりエリアポイントの景観を認識でき、選択エリア道路の状況をより現実的に体感できる。したがって、ナビゲーション装置２００の利便性をより向上できる。
【００９１】
合成地図情報生成手段２８５は、現在位置地図の道路と、ポイント対応地点に配置表示されるエリアポイントを示すエリアポイントマークと、などから構成されるエリア合成地図に関するエリア合成地図情報を生成する。そして、案内報知手段２８９は、エリア合成地図情報に基づいてエリア合成地図を表示部２４０に表示させる。このため、利用者は、エリア合成地図により現在位置地図上におけるエリアポイントの擬似的な位置関係を容易に認識できる。したがって、ナビゲーション装置２００は、特定の領域に関する情報をさらに良好に報知できる。
【００９２】
合成地図情報生成手段２８５は、利用者により設定入力されたエリア選択情報を取得すると、このエリア選択情報に基づいて利用者により選択されたエリアを認識する。そして、このエリアのエリア地図に関するエリア別情報を取得する。そして、案内報知手段２８９は、このエリアの例えばランドスケープを表示させる。このため、ナビゲーション装置２００は、利用者の要求に応じたエリアの雰囲気を利用者に体感させることができる。したがって、ナビゲーション装置２００の利便性を向上できる。
【００９３】
［実施の形態の変形］
なお、本発明は、上述した一実施の形態に限定されるものではなく、本発明の目的を達成できる範囲で以下に示される変形をも含むものである。
【００９４】
例えば表示用データＶＭの背景情報ＶＭxＣを本発明の第１の地点位置情報として機能させ、この背景情報ＶＭxＣに基づいて、合成地図情報生成手段２８５にて、現在位置地図上に存在する複数の例えば建造物などの地物の位置関係を認識する。また、エリア別情報のエリアポイントデータを本発明の第２の地点位置情報として機能させ、このエリアポイントデータに基づいて、合成地図情報生成手段２８５にて、エリア地図上の複数のエリアポイントの位置関係を認識する。そして、エリア地図が現在位置地図と同一縮尺の場合、現在位置地図上に複数のエリアポイントと略同一の位置関係にある複数の地物が存在することを認識すると、複数のエリアポイントにそれぞれ対応する地物をポイント対応地点として認識する。また、エリア地図が現在位置地図と異なる縮尺の場合、現在位置地図上に複数のエリアポイントと略相似の位置関係にある複数の地物が存在することを認識すると、複数のエリアポイントにそれぞれ対応する地物をポイント対応地点として認識する構成などとしてもよい。このような構成にすれば、ナビゲーション装置２００は、現在位置地図上の建造物などの地物に対応させてエリアポイントの例えばランドスケープを表示させることができる。したがって、利用者は、ランドスケープにより現在位置地図上の建造物などに対応させてエリアポイントの位置関係または相対位置関係を認識でき、エリアの実際の状況または相対的な状況を体感できる。よって、ナビゲーション装置２００は、特定の領域に関する情報を良好に報知できる。また、処理部２８０は、現在位置地図に存在する地物の位置関係およびエリア地図に存在するエリアポイントの位置関係を比較するだけの簡単な処理に基づいて、エリアポイントのランドスケープを表示させることができる。したがって、ナビゲーション装置２００は、景観データの出力処理をより迅速にできる。
【００９５】
合成地図情報生成手段２８５にて、経路処理手段２８４で設定した移動経路と略同一形状または略相似形状の道路（以下、移動経路相似道路と称す）が存在するエリア地図に関するエリア別情報を取得する。そして、現在位置地図上の移動経路に対応する道路と、移動経路相似道路と、を対応させた状態における現在位置地図上のポイント対応地点を認識する構成などとしてもよい。このような構成にすれば、ナビゲーション装置２００は、移動経路に対するエリアポイントの擬似的な位置関係または相対位置関係を認識でき、移動経路相似道路の実際の状況または相対的な状況を体感できる。したがって、ナビゲーション装置２００は、特定の領域に関する情報をさらに良好に報知できる。
【００９６】
合成地図情報生成手段２８５にて、エリア地図が現在位置地図と同一縮尺の場合に選択エリア道路と略同一形状の選択相似道路が存在するか否かを認識し、異なる縮尺の場合に選択エリア道路と略相似形状の選択相似道路が存在するか否かを認識する構成について例示したが、これに限らずいずれか一方の機能を設けない構成などとしてもよい。このような構成にすれば、合成地図情報生成手段２８５の構成を簡略化でき、ナビゲーション装置２００のコストを削減できる。
【００９７】
案内報知手段２８９にて、ランドスケープおよびサウンドスケープを出力させる構成について例示したが、いずれか一方のみを出力させる構成などとしてもよい。このような構成にすれば、ランドスケープ設定手段２８７またはサウンドスケープ設定手段２８８を設ける必要がなくなる。したがって、処理部２８０の構成を簡略化でき、ナビゲーション装置２００のコストを削減できる。また、ステップＳ１０８ないしステップＳ１１２の処理、または、ステップＳ１０８およびステップＳ１１２ないしステップＳ１１７の処理を実施する必要がなくなるので、サウンドスケープまたはランドスケープをより迅速に出力できる。
【００９８】
サウンドスケープ設定手段２８８にて、車両１からポイント対応地点までの距離に基づいてスピーカ３００，４００，５００，６００の音量を設定する構成について例示したが、このような機能を設けない構成などとしてもよい。また、サウンドスケープ設定手段２８８にて、ポイント対応地点の走行方向に対する方向に基づいてパンポット値を設定する構成について例示したが、このような機能を設けない構成などとしてもよい。これらのような構成にすれば、サウンドスケープ設定手段２８８の構成を簡略化でき、ナビゲーション装置２００のコストを削減できる。また、スピーカ３００，４００，５００，６００の音量やパンポット値を設定する処理を実施する必要がなくなるので、サウンドスケープをより迅速に出力できる。
【００９９】
サウンドスケープ設定手段２８８にて、車両１がポイント対応地点に近づくにしたがってサウンドスケープの音像定位が近づく状態となるように、出力形態を設定する構成などとしてもよい。このような構成にすれば、利用者は、サウンドスケープの音像定位の位置の変化により車両１からエリアポイントまでの擬似的な距離の変化をより現実的に認識でき、選択エリア道路を走行した場合の状況をさらに現実的に体感できる。したがって、ナビゲーション装置２００は、特定の領域に関する情報をさらに良好に報知できる。
【０１００】
サウンドスケープデータを、ＭＩＤＩ（Musical Instrument Digital Interface）の規格に準拠した音情報としてもよい。このような構成にすれば、サウンドスケープデータのデータ量を少なくできる。したがって、記憶手段２６０の容量を小さくでき、ナビゲーション装置２００のコストを削減できる。
【０１０１】
サウンドスケープデータをＭＩＤＩ規格に準拠した情報とした場合に、サウンドスケープ設定手段２８８にて、サウンドスケープデータのパンポット（Panpot）情報の設定値の設定によりパンポット値を決定する構成などとしてもよい。このような構成にすれば、サウンドスケープ設定手段２８８は、パンポット情報の設定値を設定するだけの簡単な方法でパンポット値を決定できる。したがって、ナビゲーション装置２００は、サウンドスケープをより迅速に出力させることができる。
【０１０２】
ランドスケープ設定手段２８７にて、車両１からポイント対応地点までの距離に基づいてランドスケープの表示形態を設定する構成について例示したが、このような機能を設けない構成などとしてもよい。このような構成にすれば、ランドスケープ設定手段２８７の構成を簡略化でき、ナビゲーション装置２００のコストを削減できる。また、ランドスケープの出力形態を設定する処理を実施する必要がなくなるので、ランドスケープをより迅速に出力できる。
【０１０３】
ランドスケープ設定手段２８７にて、車両１からポイント対応地点までの距離に基づいてランドスケープの表示領域の大きさを設定する構成などとしてもよい。このような構成にすれば、利用者は、ランドスケープの表示領域の大きさの変化により車両１からエリアポイントまでの擬似的な距離の変化を認識でき、選択エリア道路を走行した場合の状況をさらに現実的に体感できる。したがって、ナビゲーション装置２００は、特定の領域に関する情報をさらに良好に報知できる。また、ナビゲーション装置２００は、ランドスケープの表示領域の大きさを設定するだけの簡単な方法で、利用者に選択エリア道路を走行した場合の状況をより現実的に体感させることができる。したがって、ナビゲーション装置２００は、ランドスケープをより迅速に出力させることができる。
【０１０４】
ランドスケープ設定手段２８７にて、例えば車両１からポイント対応地点までの距離が長い場合にランドスケープをぼかして表示させ、この距離が短くなるにしたがってランドスケープをはっきりと表示させる構成などとしてもよい。ここで、ランドスケープをぼかして表示させる構成としては、座標（ｘ，ｙ）の画素（以下、処理対象画素と称す）のＲＧＢ（Red,Green,Blue）成分と、この処理対象画素の上下左右にそれぞれ位置する座標（ｘ，ｙ＋１）の画素（以下、周囲画素１と称す）、座標（ｘ，ｙ−１）の画素（以下、周囲画素２と称す）、座標（ｘ−１，ｙ）の画素（以下、周囲画素３と称す）、座標（ｘ＋１，ｙ）の画素（以下、周囲画素４と称す）のＲＧＢ成分の平均値と、を一定の割合で混合させる構成が例示できる。具体的には、例えば処理対象画素のＲＧＢ成分と周囲画素１，２，３，４のＲＧＢ成分との混合比を２対１とした場合、処理対象画素のＲ成分を以下の数１に基づいて求められる値として、Ｇ成分、Ｂ成分についても数１と同様の式に基づいて求められる値とする構成が例示できる。さらに、走査線の数を変更する構成や、ランドスケープにフィルタをかける構成、あるいはランドスケープの色相や彩度あるいは明度を変更する構成などが例示できるがこれらに限られない。このような構成にすれば、利用者は、表示形態が例えばぼかされて表示される形態からはっきりと表示される形態に変化するランドスケープにより、車両１からエリアポイントまでの擬似的な距離の変化を認識でき、選択エリア道路を走行した場合の状況をさらに現実的に体感できる。したがって、ナビゲーション装置２００は、特定の領域に関する情報をさらに良好に報知できる。
【０１０５】
［数１］
処理対象画素のＲ成分＝（処理対象画素のＲ成分×２＋周囲画素１，２，３，４のＲ成分の平均値）÷３
【０１０６】
案内報知手段２８９にて、エリアポイントの景観を示すランドスケープやサウンドスケープを出力させる構成について例示したが、これに限らず例えばエリアポイントの名称などを表示部２４０やスピーカ３００，４００，５００，６００から出力させる構成などとしてもよい。このような構成にすれば、利用者は、ポイント対応地点に対応するエリアポイントを確実に特定できる。したがって、ナビゲーション装置２００は、特定の領域に関する情報をより良好に報知できる。
【０１０７】
案内報知手段２８９にて、エリア合成地図を表示部２４０に表示させる構成について例示したが、エリア合成地図を表示させない構成などとしてもよい。このような構成にすれば、案内報知手段２８９にエリア合成地図を表示させる機能を設ける必要がなくなる。したがって、案内報知手段２８９の構成を簡略化でき、ナビゲーション装置２００のコストを削減できる。
【０１０８】
合成地図情報生成手段２８５にて、エリア選択情報に基づいてエリア別情報を取得する構成について例示したが、これに限らず例えば以下のような構成などとしてもよい。すなわち、合成地図情報生成手段２８５にて車両１の現在位置に基づいて現在位置地図の一般地図情報を取得する。そして、この一般地図情報に基づいて、現在位置地図上に存在する幹線道路などの任意の道路（以下、現在任意道路と称す）の形状を認識する。この後、この現在任意道路の形状と略同一形状または略相似形状の道路（以下、任意相似道路と称す）が存在するエリアに関するエリア別情報を検索して取得する。そして、現在任意道路と任意相似道路とを対応させた状態における現在位置地図上のポイント対応地点を認識する構成などとしてもよい。このような構成にすれば、ナビゲーション装置２００は、利用者によるエリア選択情報の設定入力を待つことなく、任意のエリアに関する例えばランドスケープを表示させることができる。したがって、ナビゲーション装置２００は、特定の領域に関する情報をより迅速に報知できる。
【０１０９】
エリア別情報により示されるエリア地図の時代を、一般地図情報により示される一般地図の時代とは異なる時代としてもよい。このような構成にすれば、利用者は、現在位置とは異なるエリアにおける現代とは異なる時代の雰囲気を体感できる。したがって、ナビゲーション装置２００の利便性をさらに向上できる。
【０１１０】
本発明の報知制御装置を、ＰＤＡ（Personal Digital Assistant）、携帯電話、ＰＨＳ(Personal Handyphone System)、設置型や携帯型のパーソナルコンピュータ、移動体の運転シミュレーション装置などに適用する。そして、これらの表示部にエリア合成地図または一般地図とともに、これらの地図上の任意の経路上に疑似現在位置を示す疑似現在位置アイコンを表示させる。そして、入力部の入力操作により、疑似現在位置アイコンを経路上で移動させ、この疑似現在位置アイコンがポイント対応地点近傍に位置した際にランドスケープやサウンドスケープを出力させる構成などとしてもよい。
【０１１１】
上述した各機能をプログラムとして構築したが、例えば回路基板などのハードウェアあるいは１つのＩＣ（Integrated Circuit）などの素子にて構成するなどしてもよく、いずれの形態としても利用できる。なお、プログラムや別途記録媒体から読み取らせる構成とすることにより、取扱が容易で、利用の拡大が容易に図れる。
【０１１２】
その他、本発明の実施の際の具体的な構造および手順は、本発明の目的を達成できる範囲で他の構造などに適宜変更できる。
【０１１３】
［実施形態の作用効果］
上述したように、上記実施形態では、ナビゲーションシステム１００のナビゲーション装置２００は、処理部２８０の現在位置認識手段２８１にて、車両１の現在位置を認識する。そして、処理部２８０は、合成地図情報生成手段２８５にて、車両１の現在位置近傍を示す現在位置地図に関する一般地図情報と、特定のエリアを示すエリア地図に関するエリア別情報と、を取得する。この後、合成地図情報生成手段２８５は、一般地図情報により示される道路とエリア別情報により示される道路とを比較し、現在位置地図に選択エリア道路と略相似形状を有する選択相似道路が存在するか否かを認識する。この後、処理部２８０は、現在位置地図に選択相似道路が存在することを認識すると、案内報知手段２８９にてエリア地図に存在するエリアポイントの例えばランドスケープを表示部２４０に表示させる。
【０１１４】
このため、ナビゲーション装置２００は、現在位置地図に対応させてエリア地図に存在する「ルーブル美術館」や「コンコルド広場」などのエリアポイントの例えばランドスケープを表示させることができる。したがって、利用者は、実際に例えば「パリ」に行かなくても現在位置地図に対応して表示されるランドスケープにより、「パリ」の雰囲気を現実的に体感できる。よって、ナビゲーション装置２００は、特定の領域に関する情報を良好に報知できる。
【図面の簡単な説明】
【０１１５】
【図１】本発明の一実施の形態に係るナビゲーションシステムの概略構成を示すブロック図である。
【図２】前記一実施の形態におけるスピーカが配設された車両の平面図である。
【図３】前記一実施の形態における一般地図情報を構成する表示用データのテーブル構造を模式的に示す概念図である。
【図４】前記一実施の形態における一般地図情報を構成するマッチングデータのテーブル構造を模式的に示す概念図である。
【図５】前記一実施の形態におけるナビゲーション装置を構成する処理部の概略構成を示すブロック図である。
【図６】前記一実施の形態における景観データの出力処理を示すフローチャートである。
【図７】前記一実施の形態におけるエリア合成地図情報のテーブル構造を模式的に示す概念図である。
【図８】前記一実施の形態におけるエリア合成地図情報のテーブル構造を模式的に示す概念図である。
【図９】前記一実施の形態におけるエリア合成地図の表示画面の一例を示す模式図である。
【図１０】前記一実施の形態におけるエリア合成地図の表示画面の一例を示す模式図である。
【符号の説明】
【０１１６】
１    移動体である車両
２００    報知制御装置であるナビゲーション装置
２４０    報知手段である表示手段および地図表示手段としての表示部
２８０    演算手段としての処理部
２８１    現在位置情報取得手段としての現在位置認識手段
２８２    目的地情報取得手段としての目的地認識手段
２８４    経路設定手段としての経路処理手段
２８５    第１の地図情報取得手段、第２の地図情報取得手段、比較手段および特定地点位置認識手段としても機能する合成地図情報生成手段
２８６    報知制御手段としても機能する近傍ポイント情報生成手段
２８７    報知制御手段としても機能するランドスケープ設定手段
２８８    報知制御手段および移動方向認識手段としても機能するサウンドスケープ設定手段
２８９    報知制御手段および地図表示制御手段としても機能する案内報知手段
３００    報知手段である発音手段としての右フロントスピーカ
４００    報知手段である発音手段としての左フロントスピーカ
５００    報知手段である発音手段としての右リアスピーカ
６００    報知手段である発音手段としての左リアスピーカ
ＶＭxＢ 第１の経路情報および領域経路情報としても機能する道路情報
ＶＭxＣ 第１の地点位置情報としても機能し得る背景情報
【図１】
2006010531.tif 000003
【図２】
2006010531.tif 000004
【図３】
2006010531.tif 000005
【図４】
2006010531.tif 000006
【図５】
2006010531.tif 000007
【図６】
2006010531.tif 000008
【図７】
2006010531.tif 000009
【図８】
2006010531.tif 000010
【図９】
2006010531.tif 000011
【図１０】
2006010531.tif 000012